(57)【要約】【課題】電源基板を吸気口と送風ユニットとの間に配設すると共に、複数の誘導加熱コイルを制御する制御基板を送風ユニットの近傍に配設することにより、構造が簡単で電源基板及び制御基板を効果的に冷却することのできる加熱調理器を提供すること。【解決手段】電源基板、複数の誘導加熱コイル８，９、この誘導加熱コイル８，９の制御基板１０，１１、送風ユニット１３等を内蔵し、後面板に吸気口が設けられた本体ケース１と、後部側に排気口３，４を有し本体ケース１の上部開口部に取付けられたトッププレート２とからなり、吸気口と送風ユニット１３との間に電源基板を配設した。【選択図】        図１
2004152562.tif 000002
【特許請求の範囲】
【請求項１】
電源基板、複数の誘導加熱コイル、該誘導加熱コイルの制御基板、送風ユニット等を内蔵し、後面板に吸気口が設けられた本体ケースと、後部側に排気口を有し前記本体ケースの上部開口部に取付けられたトッププレートとからなり、
前記吸気口と送風ユニットとの間に前記電源基板を配設したことを特徴とする加熱調理器。
【請求項２】
前記誘導加熱コイルを、本体ケースの幅方向のほぼ中央部の両側に配設すると共に、前記制御基板及び送風ユニットを前記中央部の一方の側に配設したことを特徴とする請求項１記載の加熱調理器。
【請求項３】
前記複数の誘導加熱コイルをそれぞれ制御する制御基板を、前記送風ユニットの送風口の近傍に配設したことを特徴とする請求項１又は２記載の加熱調理器。
【請求項４】
前記本体ケースの後面板に第１の吸気口と該第１の吸気口より吸気量の少ない第２の吸気口を設け、該第２の吸気口の近傍に電源基板を配設すると共に、前記第１の吸気口の近傍に送風ユニットを配設し、該送風ユニットの送風口の近傍に前記制御基板を配設したことを特徴とする請求項１〜３のいずれかに記載の加熱調理器。
【発明の詳細な説明】
【０００１】
【発明の属する技術分野】
本発明は、電磁誘導加熱調理器などの加熱調理器に関するものである。
【０００２】
【従来の技術】
ガス調理器に比べて、電磁誘導加熱部を備えた加熱調理器は、熱効率が非常に高くその上安全であるため広く使用されているが、内部構造が複雑で部品の温度上昇を防ぐために冷却する必要がある。
従来のこの種加熱調理器に器体内に、設けられたグリル部加熱装置と、グリル部加熱装置より上方に設けられた複数の上方加熱装置と、各加熱装置の制御を行う複数の制御装置と、各加熱装置および制御装置を冷却する複数の冷却ファンと、器体外面には冷却風を送風するための複数の吸気口と複数の排気口を具備し、グリル部加熱装置と複数の上方加熱装置の内の多くとも１つを器体の略中央に配設し、グリル部加熱装置を挟んで略対称に複数の上方加熱装置の残りと制御装置と冷却ファンと吸気口と排気口とを配設したものがある（例えば、特許文献１参照）。
【０００３】
【特許文献１】
特開２００２−３１３５３号公報（第３頁、図１）
【０００４】
【発明が解決しようとする課題】
上記のような従来の加熱調理器は、グリル部加熱装置の両側にそれぞれ上部加熱装置及び制御装置が配設されているため、冷却ファンや吸気口、排気口を制御装置等に対応してそれぞれ設けなければならないので、構造が複雑になるばかりでなく、製造コストが高くなるという問題がある。また、このような構造では電源基板を効果的に冷却することが困難である。
【０００５】
本発明は、上記の課題を解決するためになされたもので、電源基板を吸気口と送風ユニットとの間に配設すると共に、複数の誘導加熱コイルを制御する制御基板を送風ユニットの近傍に配設することにより、構造が簡単で電源基板及び制御基板を効果的に冷却することのできる加熱調理器を提供することを目的としたものである。
【０００６】
【課題を解決するための手段】
本発明に係る加熱調理器は、電源基板、複数の誘導加熱コイル、該誘導加熱コイルの制御基板、送風ユニット等を内蔵し、後面板に吸気口が設けられた本体ケースと、後部側に排気口を有し前記本体ケースの上部開口部に取付けられたトッププレートとからなり、前記吸気口と送風ユニットとの間に前記電源基板を配設したものである。
【０００７】
【発明の実施の形態】
［実施の形態１］
図１は本発明の実施の形態１に係る加熱調理器の分解斜視図、図２は図１の右側縦断面図、図３は図１の上部平断面図、図４は図１の背面図である。
上面が開口された箱状の本体ケース１の上面開口部にはトッププレート２が装着されており、トッププレート２の後方には排気口３，４が設けられている。なお、２ａ，２ｂは後述の第１，第２の誘導加熱コイル８，９に対応してトッププレート２に印刷により設けた鍋位置表示部である。また、本体ケース１の前面１ａ側には操作部５が設けられており、後面板１ｂには第１の吸気口である主吸気口６及び第２の吸気である副吸気口７が設けられている。
【０００８】
本体ケース１の上部には、トッププレート２に近接して左側には第１の誘導加熱コイル８、右側には第２の誘導加熱コイル９が配設されており、本体ケース１のほぼ中央部より右側には第１の誘導加熱コイル８の制御基板１０、及び第２の誘導加熱コイル９の制御基板１１が上下に設置されている。１２は本体ケース１のほぼ中央部より左側に設けられたロースタ部である。
【０００９】
また、本体ケース１のほぼ中央部より右側の後部には、モータ１４、ファン１５、ファンケース１６、送風口１７からなる送風ユニット１３が配設されており、この送風ユニット１３へは、本体ケース１の後面板１ｂに設けた導風路１８を介して、第１の吸気口である主吸気口６及び第２の吸気口である副吸気口７から外気が送られる。なお、送風ユニット１３の送風口１７は第１，第２の誘導加熱コイル８，９の制御基板１０，１１方向に開口している。
【００１０】
この導風路１８は、図５に示すように、左右の側板１８ａ，１８ｂ、前面板１８ｃ及び上面板１８ｄによって形成され、後面及び底面は開放されている。そして、後面側が本体ケース１の後面板１ｂに、底面側が本体ケース１の底板１ｃに隙間なく当接して取付けられ、箱状に形成されて主吸気口６及び副吸気口７と連通する。また、上面板１８ｄの主吸気口６の近傍に設けた開口部１９には送風ユニット１３のモータ１４が挿入され、ファンケース１６が上面板１８ｄに取付けられている。なお、導風路１８内の左側板１８ａ側（副吸気口７側）には、電源基板２０が配設されている。
【００１１】
上記のように構成した加熱調理器により調理を行う場合は、被調理物が入れられた調理鍋等をトッププレート２の鍋位置表示部（例えば、２ａ）上に載置し、あるいはロースタ部１２に魚等の被調理物を収納して作動せさ、操作部５により使用する加熱源を選択してスタートし、調理を行う。これにより、電源基板２０及び選択された誘導加熱コイル８の制御基板１０が駆動され、調理鍋等が加熱されると共にこれに搭載された電気部品が発熱する。
【００１２】
このとき、送風ユニット１３のファン１５がモータ１４により駆動され、導風路１８を経て主吸気口６及び副吸気口７から取り込まれた外気が送風ユニット１３の送風路１７から吹出し、制御基板１０，１１に搭載した電気（発熱）部品や放熱フィン等、さらに第１，第２の誘導加熱コイル８，９を冷却し、また、ロースタ部１２を冷却してトッププレート２に設けた排気口３，４から排気される。
【００１３】
この場合、副吸気口７から取り入れられた外気は、導風路１８に内設された電源基板２０上を流れ、電源基板２０に搭載された発熱部品を冷却する。なお、副吸気口７から取り入れられた外気は、電源基板２０の冷却が目的であるため、その取り入れ量は主吸気口６から取り入れられる外気の吸気量より少なく設定されている。また、本体ケース１内を冷却する空気は、副吸気口７からの取り入れられる外気の量が多すぎると、送風口１７から吹き出す空気の温度が上昇してしまうため、主吸気口６から取り入れられる外気が主となるように、主吸気口６の面積を副吸気口７の面積より大きく形成してある。
【００１４】
上記のように構成した本実施の形態によれば、本体ケース１の後面板１ｂに主吸気口６と副吸気口７の２つの吸気口を設け、電源基板２０を副吸気口７の近傍において導風路１８内に配設し、副吸気口７から取り入れた外気が電源基板２０上を流れるように構成し、電源基板２０に搭載した電気部品等を冷却するようにしたので、従来、冷却しにくかった電源基板２０の電気部品等を効果的に冷却することができ、冷却性能を向上することができる。
また、吸気口を２個所に設けたので吸気風量を増大することができ、本体ケース１内の冷却性能を向上することができる。
【００１５】
さらに、排気口３，４をトッププレート２の後部側に設けたので、調理中に調理者に排気風が当ることがなく、このため不快感なく調理を行うことができる。また、吸気口を本体ケース１の後面板１６に、排気口を本体ケース１の上面側に設けたので、空気のショートサイクルを起こすことがない。
【００１６】
［実施の形態２］
図６は本発明の実施の形態２に係る加熱調理器の右側縦断面図である。なお、実施の形態１と同じ部分にはこれと同じ符号を付し、説明を省略する。
図において、２１は導風路で、図７に示すように、左右の側板２１ａ，２１ｂ、前面板２１ｃ及び上面板２１ｄからなる実施の形態１の導風路１８とほぼ同じ構成のもので、内部には電源基板２０が配設されているが、その長さが若干短かく形成されており、右側板２１ｂに開口部２２が設けられている。
【００１７】
上記のような本実施の形態において、本体ケース１への導風路２１の取付けは実施の形態１の場合と同様であるが、開口部２２が主吸気口６の近傍に位置し、右側に空間部が形成されるように設置する。そして、送風ユニット１３を９０°回転してモータ１４を導風路２１の右側板２１ｂに設けた開口部２２内に挿入し、ファンケース１６を右側板２１ｂに取付けたものである。なお、送風口１７は第１，第２の誘導加熱コイル８，９の制御基板１０，１１方向に開口する。
本実施の形態においても、実施の形態１と同様の効果を得ることができる。
【００１８】
上記の説明では、第１，第２の誘導加熱コイル８，９の制御基板１０，１１及び送風ユニット１３を、筐体ケース１のほぼ中央部から右側に配設し、ロースタ部１２を左側に設けた場合を示したが、これらは左右入れ替えてもよい。なお、この場合は、第１，第２の吸気口６，７も当然左右入れ替えることになる。
【００１９】
以上の説明から明らかなように、本発明は、電源基板を吸気口と送風ユニットとの間に配設すると共に、複数の誘導加熱コイルを制御する制御基板を送風ユニットの送風口の近傍に配設したので、構造が簡単で電源基板及び制御基板を効果的に冷却することができる。
【００２０】
【発明の効果】
本発明に係る加熱調理器は、電源基板、複数の誘導加熱コイル、この誘導加熱コイルの制御基板、送風ユニット等を内蔵し、後面板に吸気口が設けられた本体ケースと、後部側に排気口を有し本体ケースの上部開口部に取付けられたトッププレートとからなり、吸気口と送風ユニットとの間に電源基板を配設したので、従来冷却しにくいと云われた電源基板を効果的に冷却することができる。
【図面の簡単な説明】
【図１】本発明の実施の形態１に係る加熱調理器の分解斜視図である。
【図２】図１の右側縦断面図である。
【図３】図１の上部平断面図である。
【図４】図１の背面図である。
【図５】図１の導風路の斜視図である。
【図６】本発明の実施の形態２に係る加熱調理器の右側縦断面図である。
【図７】図６の導風路の斜視図である。
【符号の説明】
１  本体ケース、２  トッププレート、３，４  排気口、６  主吸気口（第１の吸気口）、７  副吸気口（第２の吸気口）、８  第１の誘導加熱コイル、９  第２の誘導加熱コイル、１０，１１  制御基板、１３  送風ユニット、１７  送風口、１８，２１  導風路、２０  電源基板。
【図１】
2004152562.tif 000003
【図２】
2004152562.tif 000004
【図３】
2004152562.tif 000005
【図４】
2004152562.tif 000006
【図５】
2004152562.tif 000007
【図６】
2004152562.tif 000008
【図７】
2004152562.tif 000009